(57)【要約】      （修正有）【課題】故障時に迅速に取り換えることができるドアクローザーの取換え方法を提供する。【解決手段】第１のドアクローザーの取付けねじの位置を含む位置に長穴が形成され、第２のドアクローザーの取付けねじの位置にねじ穴が形成された取換え用ブラケット３０及び取換え用プレート４０を用い、出入り口の枠体１０から第１のドアクローザーのアームの取付けブラケットを取り外した後の枠体に取換え用ブラケットを重ね長穴を介して固定用ねじを螺合させて取換え用ブラケットを固定し、取換え用ブラケットのねじ穴と取付けねじとによって第２のドアクローザーのアームの取付けブラケットを枠体に取り付け、ドアから第１のドアクローザーの本体を取り外した後のドアに取換え用プレートを重ね長穴を介して固定用ねじを螺合させて取換え用プレートをドアに固定し、取付けねじを螺合させて第２のドアクローザーの本体を取り付ける。【選択図】図４
2020204150.tif 000002
【特許請求の範囲】
【請求項１】
取付けねじが枠体及びドアに対して固有の位置に取り付けられる第１のドアクローザーを、取付けねじが枠体及びドアに対して同一の位置に取り付けられる第２のドアクローザーの群から選択される１つの第２のドアクローザーに取り換えるようにしたドアクローザーの取換え方法であって、
上記第１のドアクローザーの取付けねじの取付け位置を含む位置に長穴（３１、４１）が形成されるとともに、上記第２のドアクローザーの取付けねじの取付け位置にねじ穴（３２、４２）が形成された取換え用ブラケット（３０）及び取換え用プレート（４０）を用い、
上記出入り口の枠体（１０）から上記第１のドアクローザーのアームの取付けブラケットを取り外し、該アームの取付けブラケットを取り外した後の枠体（１０）に上記取換え用ブラケット（３０）を重ね、上記枠体（１０）の上記第１のドアクローザーのアームの取付けブラケットのねじ穴に上記長穴（３１）を介して固定用ねじを螺合させて上記取換え用ブラケット（３０）を固定し、該取換え用ブラケット（３０）のねじ穴（３２）と取付けねじ（２２）とによって第２のドアクローザー（２０）のアーム（２６）の取付けブラケット（２１）を枠体（１０）に取り付ける一方、
上記ドア（１１）から上記第１のドアクローザーの本体を取り外し、該第１のドアクローザーの本体を取り外した後のドア（１１）に上記取換え用プレート（４０）を重ね、上記ドア（１１）の第１のドアクローザーの本体取付け用のねじ穴に長穴（４１）を介して固定用ねじを螺合させて上記取換え用プレート（４０）を上記ドア（１１）に固定し、該取換え用プレート（４０）のねじ穴（４２）に取付けねじ（２４）を螺合させて上記第２のドアクローザー（２０）の本体（２３）を取り付けるようにしたことを特徴とするドアクローザーの取換え方法。
【請求項２】
取付けねじが枠体及びドアに対して固有の位置に取り付けられる第１のドアクローザーを、取付けねじが枠体及びドアに対して同一の位置に取り付けられる第２のドアクローザーの群から選択される１つの第２のドアクローザーに取り換える際に用いる取換え用ブラケット及び取換え用プレートからなる取換え用治具であって、
取換え用ブラケット（３０）及び取換え用プレート（４０）は、上記第１のドアクローザーの取付けねじの取付け位置を含む位置に長穴（３１、４１）が形成されるとともに、上記第２のドアクローザーの取付けねじの取付け位置にねじ穴（３２、４２）が形成されていることを特徴とするドアクローザーの取換え用治具。
【発明の詳細な説明】
【技術分野】
【０００１】
本発明はドアクローザーの取換え方法に関し、特に故障時に迅速に取り換えることができるようにしたドアクローザーの取換え方法に関する。
【背景技術】
【０００２】
例えば、部屋の出入り口にはドアが設けられることが多い。この場合、出入り口に設けた枠体にドアをヒンジで開閉自在に連結した構造が広く採用されているが、かかる構造ではドアを激しく閉じると、大きな衝撃音が発生して周囲の人を驚かせることがある。
【０００３】
そこで、出入り口の枠体とドアとの間にドアクローザー（「ドアチェッカー」と称されることもある）を設け、ドアの開閉速度を制限し、衝撃音を抑制することが行われている（特許文献１、特許文献２、特許文献３）。
【先行技術文献】
【特許文献】
【０００４】
【特許文献１】特開２０１３−１５１８１８号公報
【特許文献２】特開２０１４−２１８７７５号公報
【特許文献３】実開平０６−００１６７５号公報
【発明の開示】
【発明が解決しようとする課題】
【０００５】
ところで、ドアクローザーには市販されている汎用型のドアクローザー以外に、取付け状況に対応させた形状・構造のドアクローザー（「万能型ドアクローザー」と称されている）がある。
【０００６】
汎用型ドアクローザーでは全種類を通して取付けねじの位置が同一であるので、故障が発生したときにも市販のドアクローザーを購入して容易に取り換えることができる。しかし、万能型ドアクローザーでは取付ねじの位置が汎用型のものと異なり、固有の位置に設けられているので、故障した場合には同一の万能型ドアクローザーを取り寄せる必要があり、取換えが完了するまでに長い時間がかかってしまう。
【０００７】
本発明はかかる問題点にに鑑み、故障時に迅速に取り換えることができるようにしたドアクローザーの取換え方法を提供することを課題とする。
【課題を解決するための手段】
【０００８】
そこで、本発明に係るドアクローザーの取換え方法は、取付けねじが枠体及びドアに対して固有の位置に取り付けられる第１のドアクローザーを、取付けねじが枠体及びドアに対して同一の位置に取り付けられる第２のドアクローザーの群から選択される１つの第２のドアクローザーに取り換えるようにしたドアクローザーの取換え方法であって、上記第１のドアクローザーの取付けねじの取付け位置を含む位置に長穴が形成されるとともに、上記第２のドアクローザーの取付けねじの取付け位置にねじ穴が形成された取換え用ブラケット及び取換え用プレートを用い、上記出入り口の枠体から上記第１のドアクローザーのアームの取付けブラケットを取り外し、該アームの取付けブラケットを取り外した後の枠体に上記取換え用ブラケットを重ね、上記枠体の上記第１のドアクローザーのアームの取付けブラケットのねじ穴に上記長穴を介して固定用ねじを螺合させて上記取換え用ブラケットを固定し、該取換え用ブラケットのねじ穴と取付けねじとによって第２のドアクローザーのアームの取付けブラケットを枠体に取り付ける一方、上記ドアから上記第１のドアクローザーの本体を取り外し、該第１のドアクローザーの本体を取り外した後のドアに上記取換え用プレートを重ね、上記ドアの第１のドアクローザーの本体取付け用のねじ穴に長穴を介して固定用ねじを螺合させて上記取換え用プレートを上記ドアに固定し、該取換え用プレートのねじ穴に取付けねじを螺合させて上記第２のドアクローザーの本体を取り付けるようにしたことを特徴とするドアクローザーの取換え方法。
【０００９】
本発明の特徴の１つは第１のドアクローザーのねじ穴の位置に長穴を有するとともに第２のドアクローザーのねじ穴の位置にねじ穴を有する取換え用ブラケット及び取換え用プレートを用い、第１のドアクローザーをドア及び出入り口の枠体から取り外し、その後に長穴及び第２のドアクローザーの取付けねじのねじ穴が形成された取換え用ブラケット及び取換え用プレートを長穴を介して枠体及びドアに固定し、取換え用ブラケット及び取換え用プレートのねじ穴に第２のドアクローザーを取り付けるようにした点にある。
【００１０】
これにより、万能型ドアクローザーに故障が発生したときには市販されている汎用型のドアクローザーを取り付けることができ、故障時に迅速に取り換えることができる。
【００１１】
ドアクローザーの形式は特に限定されず、例えばパラレル型ドアクローザーに適用できる。
【図面の簡単な説明】
【００１２】
【図１】本発明に係るドアクローザーの取換え方法の好ましい実施形態における取換え用ブラケットの１例を示す図である。
【図２】上記実施形態における取換え用プレートの１例を示す図である。
【図３】上記実施形態の取換え後の状態を示す側面図である。
【図４】上記実施形態の枠体を取り除いた取換え後の状態を示す平面図である。
【図５】第２の実施形態を示す図である。
【発明を実施するための形態】
【００１３】
以下、本発明を図面に示す具体例に基づいて詳細に説明する。図１ないし図４は本発明に係るドアクローザーの取換え方法の好ましい実施形態を示す。図において、部屋の出入り口には枠体１０が設けられ、枠体１０にはドア１１がヒンジによって開閉自在に枢支されている。
【００１４】
また、枠体１０の上辺部分には万能型ドアクローザー（第１のドアクローザー）の取付けブラケットが取付けねじによって取り付けられ、取付けブラケットにはアームの一端部が回転自在に連結され、ドア１１の上端部には万能型ドアクローザーの本体が取り付けられ、万能型ドアクローザーにはリンクが連結され、リンクとアームとは連結ピンによって回転自在に連結され、万能型ドアクローザーの本体内には圧油及びばね部材が内蔵されてドア１１の開閉速度を制限するようになっている。
【００１５】
汎用型ドアクローザー（第２のドアクローザー）２０は取付けねじが他の汎用型ドアクローザーと同一である以外、万能型ドアクローザーと同様の構造に構成されている。
【００１６】
即ち、汎用型ドアクローザー２０では取付けブラケット２１が取付けねじ２２によって枠体１０に取り付けられるように設けられるとともに、本体２３が取付けねじ２４によってドア１１に取り付けられ、取付けブラケット２１にはアーム２６の一端部が回転自在に取り付けられ、本体２３にはリンク２５の一端部が回転自在に取り付けられ、リンク２５とアーム２６とは相互に回転自在に連結されている。
【００１７】
なお、万能型ドアクローザーの本体及び汎用型ドアクローザー２０の本体２３内には圧油及びばね部材が内蔵されてドア１１の開閉速度を制限するようになっているが、その構造は公知のものと同様であるので、詳細な説明は省略する。
【００１８】
万能型ドアクローザーが故障した場合、万能型ドアクローザーの本体をドア１１から取り外すとともに、アームの取付けブラケットを枠体１０から取り外す。
【００１９】
他方、取換え用ブラケット３０及び取換え用プレート４０は予め製作しておく。取換え用ブラケット３０及び取換え用プレート４０は第１のドアクローザーの取付けねじの取付け位置を含む位置に長穴３１、４１が形成されるとともに、汎用型ドアクローザー２０の取付けねじ２２、２４の取付け位置にねじ穴３２、４２が形成されている。
【００２０】
まず、取換え用ブラケット３０を万能型ドアクローザーのアームの取付けブラケットを取り外した後の枠体１０に重ね、枠体１０の万能型ドアクローザーのアームの取付けブラケットのねじ穴に長穴３２を介して固定用ねじ３５を螺合させて取換え用ブラケット３０を枠体１０に固定し、取換え用ブラケット３０のねじ穴３２と取付けねじ２２とによって汎用型ドアクローザー２０のアーム２６の取付けブラケット２１を枠体１１に取り付ける。
【００２１】
他方、万能型ドアクローザーの本体を取り外した後のドア１１には取換え用プレート４０を重ね、ドア１１の万能型ドアクローザーの本体取付け用のねじ穴に長穴４１を介して固定用ねじ３６を螺合させて取換え用プレート４０をドア１１に固定した後、取換え用プレート４０のねじ穴４２に取付けねじ２４を螺合させて汎用型ドアクローザー２０の本体２３をドア１１に取り付けると、故障した万能型ドアクローザーを、市販の汎用型ドアクローザー２０に取り換えることができる。
【００２２】
図５は第２の実施形態を示し、図において図１ないし図４と同一符号は同一又は相当部分を示す。本例では取換え用ブラケット３０及び取付けブラケット２１のねじやねじ穴を覆う断面凹状のカバー５０が磁石によって取換え用ブラケット３０及び取付けブラケット２１に取り付けられており、ドアクローザー２０の外観の見栄えを向上できるようにしている。
【符号の説明】
【００２３】
１０      枠体
１１      ドア
２０      汎用型ドアクローザー（第２のドアクローザー）
３０      取換え用ブラケット
４０      取換え用プレート
【図１】
2020204150.tif 000003
【図２】
2020204150.tif 000004
【図３】
2020204150.tif 000005
【図４】
2020204150.tif 000006
【図５】
2020204150.tif 000007